(57)【要約】【課題】本発明は、より簡易な構造で信頼性が高い清掃機構を備えた空気調和機を提供することを目的とする。【解決手段】本発明の空気調和機は、空気吸込口及び空気吹出口を有する筐体と、筐体内に配置された室内熱交換器と、室内熱交換器の上流に配置されたフィルタと、室内熱交換器の下流に配置された室内送風ファンと、フィルタに捕集された塵埃を除去する清掃装置とを備え、清掃装置は、筺体の長手方向に移動し、フィルタと接触して摺動する掃除ブラシと、回転し、掃除ブラシと摺動して掃除ブラシに付着した塵埃を取る除去ブラシと、除去ブラシに付着した塵埃を取る板部と、板部の下方に位置する集塵容器とを有する。【選択図】図５
2015140996.tif 000002
【特許請求の範囲】
【請求項１】
空気吸込口及び空気吹出口を有する筐体と、
前記筐体内に配置された室内熱交換器と、
前記室内熱交換器の上流に配置されたフィルタと、
前記室内熱交換器の下流に配置された室内送風ファンと、
前記フィルタに捕集された塵埃を除去する清掃装置とを備え、
前記清掃装置は、
前記筺体の長手方向に移動し、前記フィルタと接触して摺動する掃除ブラシと、
回転し、前記掃除ブラシと摺動して前記掃除ブラシに付着した塵埃を取る除去ブラシと、
前記除去ブラシに付着した塵埃を取る板部と、
前記板部の下方に位置する集塵容器とを有する空気調和機。
【請求項２】
前記除去ブラシは、前面、上面、及び、前記前面と前記上面を結んだ斜面からなる三角形状であり、
前記板部は前記斜面に配置されていることを特徴とする請求項１に記載の空気調和機。
【請求項３】
前記清掃装置は、
前記掃除ブラシを前記筺体の長手方向に移動させる推進軸と、
前記推進軸に接続され、前記除去ブラシを回転させる歯車とを有することを特徴とする請求項１又は２に記載の空気調和機。
【請求項４】
前記推進軸が前記掃除ブラシを前記除去ブラシに近づく方向に移動させるとき、前記歯車は前記除去ブラシを第１の方向に回転させ、
前記推進軸が前記掃除ブラシを前記除去ブラシから離れる方向に移動させるとき、前記歯車は前記除去ブラシを前記第１の方向と逆方向に回転させ、
前記除去ブラシの毛は、前記第１の方向に傾いていることを特徴とする請求項３に記載の空気調和機。
【請求項５】
前記清掃装置は、前記集塵容器の上方、且つ、前記集塵容器の背面側に位置する案内板を有することを特徴とする請求項１乃至４のいずれかに記載の空気調和機。
【請求項６】
空気吸込口及び空気吹出口を有する筐体と、
前記筐体内に配置された室内熱交換器と、
前記室内熱交換器の上流に配置されたフィルタと、
前記室内熱交換器の下流に配置された室内送風ファンと、
前記フィルタに捕集された塵埃を除去する清掃装置とを備え、
前記清掃装置は、
前記筺体の長手方向に移動し、前記フィルタと接触して摺動する掃除ブラシと、
回転し、前記掃除ブラシと摺動して前記掃除ブラシに付着した塵埃を取る除去ブラシと、
前記除去ブラシに付着した塵埃を取るブラシと、
前記集塵剥離用ブラシの下方に位置する集塵容器とを有する空気調和機。
【発明の詳細な説明】
【技術分野】
【０００１】
本発明は空気調和機に関する。
【背景技術】
【０００２】
空気調和機は、室内空気を熱交換器に循環させて、加熱、冷却、除湿等により調和された空気を室内に吹き出すことにより、室内を空気調和する。この空気調和機内を循環する空気中の塵埃は、空気調和機の吸込口に配置されたフィルタにより除去される。
【０００３】
しかし、除去した塵埃がフィルタに蓄積すると、通風抵抗が大きくなり、空気調和機の熱交換性能が低下する。
【０００４】
これに対して、特許文献１には、フィルタを清掃する清掃機構を備え、清掃装置はフィルタに捕集された塵埃を掃き取る掃除ブラシと、掃除ブラシで掃き取られた塵埃を受け取る除去ブラシと、除去ブラシに付着している塵埃を受け取る塵埃戻り防止ブラシと、塵埃戻り防止ブラシから移送された塵埃を貯留する集塵容器とを有する空気調和機が記載されている。特許文献１に記載の空気調和機によれば、フィルタに付着した塵埃を取り除くことができる。
【先行技術文献】
【特許文献】
【０００５】
【特許文献１】特開２００８−０５７８４６号公報
【発明の概要】
【発明が解決しようとする課題】
【０００６】
しかしながら、特許文献１に記載の空気調和機では、掃除ブラシに付着した塵埃を除去するために、複数の駆動式のブラシを設けなければならず、構造が複雑になる課題があった。
【０００７】
そこで、本発明は、より簡易な構造の清掃機構を備えた空気調和機を提供することを目的とする。
【課題を解決するための手段】
【０００８】
上記課題を解決するために本発明の空気調和機は、空気吸込口及び空気吹出口を有する筐体と、筐体内に配置された室内熱交換器と、室内熱交換器の上流に配置されたフィルタと、室内熱交換器の下流に配置された室内送風ファンと、フィルタに捕集された塵埃を除去する清掃装置とを備え、清掃装置は、筺体の長手方向に移動し、フィルタと接触して摺動する掃除ブラシと、回転し、掃除ブラシと摺動して掃除ブラシに付着した塵埃を取る除去ブラシと、除去ブラシに付着した塵埃を取る板部と、板部の下方に位置する集塵容器とを有する。
【発明の効果】
【０００９】
本発明によれば、より簡易な構造の清掃機構を備えた空気調和機を提供することができる。
【図面の簡単な説明】
【００１０】
【図１】実施例１に係る空気調和機の全体構成図。
【図２】実施例１に係る室内機の側断面図。
【図３】実施例１に係る室内機の内部正面図。
【図４】実施例１に係る清掃機構の斜視図。
【図５】実施例１に係る集塵機構の断面図。
【図６】実施例１に係る集塵剥離用へらの斜視図。
【図７】実施例１に係る集塵剥離用櫛歯の斜視図。
【図８】実施例２に係る集塵剥離に毛を有した集塵機構の断面図。
【図９】実施例３に係る室内機の側断面図。
【図１０】実施例３に係る集塵機構の断面図。
【発明を実施するための形態】
【００１１】
本発明の実施形態について、適宜図面を参照しながら詳細に説明する。なお、各図において共通する部分には同一の符号を付し、重複した説明を省略する。
【実施例１】
【００１２】
まず、空気調和機の全体構成について図１及び図２を用いて説明する。図１は実施例１に係る空気調和機の全体構成図である。空気調和機１は、室内機２、室外機６及び室内機２に操作信号を送信するリモコン５を備える。室内機２及び室外機６は接続配管８で接続される。室内機２は、筐体２１内に、後述する室内熱交換器３３等の内部構造体を備える。空気調和機１は、室内空気を空気吸込口２７から吸い込み、室内熱交換器３３で加熱、冷却、除湿等された室内空気を、空気吹出口２９から室内に吹き出すことにより、室内を空気調和する。
【００１３】
圧縮機（図示せず）と室外熱交換器（図示せず）と室外送風ファン（図示せず）と膨張弁（図示せず）は室外機６に配置され、室内熱交換器３３と後述する室内送風ファン３１１は室内機２に配置されている。
【００１４】
図２は室内機の側断面図である。室内機２は、室内空気を吸い込む空気吸込口２７を室内機２上部に備える。空気吸込口２７の下流側には、室内空気中の塵埃を除去するフィルタ２３１が空気吸込口２７を覆うように配置される。フィルタ２３１の下流であって、筐体２１の中央部には、略逆Ｖ字状に形成された室内熱交換器３３が配置される。室内熱交換器３３の下流には、室内熱交換器３３の幅と略等しい長さの貫流ファン方式の室内送風ファン３１１が配置される。
【００１５】
室内熱交換器３３の下端部には露受皿３５が配置される。露受皿３５は、冷房運転時や除湿運転時に室内熱交換器３３で発生する凝縮水を受ける。露受皿３５に集められた凝縮水はドレン配管３７を通して室外に排出される。室内熱交換器３３の下流であって、室内機２の下部には、室内熱交換器３３で加熱、冷却、除湿等された室内空気を室内に吹き出す空気吹出口２９を備える。空気吹出口２９には、吹き出される空気を左右方向に偏向する左右風向板２９５、及び、上下方向に偏向する上下風向板２９１を備える。
【００１６】
空気調和機１において、まず、室内送風ファン３１１を運転することで、室内空気を空気吸込口２７から室内機２内に吸い込む。その際、フィルタ２３１により空気中の塵埃が除去される。その後、室内機２内に吸い込まれた室内空気は、室内熱交換器３３で加熱、冷却、除湿等されて、室内送風ファン３１１を介して、空気吹出口２９から室内に吹き出される。空気吹出口２９から室内に吹き出される調和された空気は、左右風向板２９５及び上下風向板２９１により、左右方向及び上下方向が偏向される。このようにして、室内空気を空気吸込口２７から吸い込み、室内熱交換器３３で加熱、冷却、除湿等された室内空気を空気吹出口２９から室内に吹き出すことにより、室内を空気調和する。
【００１７】
次に、実施例１に係るフィルタの清掃機構について図３及び図４を用いて説明する。図３は実施例１に係る室内機の内部正面図である。図４は実施例１に係る清掃機構の斜視図である。
【００１８】
図３に示すように、清掃機構２３０は、掃除ブラシ２６７と、フィルタ２３１に捕集された塵埃を掃き取るように掃除ブラシ２６７を左右方向（室内機２の長手方向）に移動させる移動機構２３３と、掃除ブラシ２６７により掃き取られた塵埃を収集する集塵機構２７０とを備える。
【００１９】
図４に示すように、移動機構２３３は、掃除ブラシ２６７を保持する刷毛保持部２６２と、刷毛保持部２６２を案内する案内枠２３４と、刷毛保持部２６２を移動させる移動用モータ２４２とを備える。
【００２０】
案内枠２３４は、フィルタ２３１の背面側と前面下側にレール２３５と、フィルタ２３１の前面上側に推進軸２４３とを備える。案内枠２３４は、刷毛保持部２６２に保持された掃除ブラシ２６７がフィルタ２３１及び集塵機構２７０上を図３及び図４の左右方向に移動するように、フィルタ２３１及び集塵機構２７０を囲うように配置される。尚、フィルタ２３１を案内枠２３４に固定して、フィルタ２３１と案内枠２３４を一体に構成するようにしてもよい。
【００２１】
推進軸２４３は多角形断面を有し、案内枠２３４に設けられた図示しない軸受に支持される。推進軸２４３の一端は、図示しない歯車を介して、案内枠２３４に固定された移動用モータ２４２に連結される。推進軸２４３にはスクリュウ、キャリッジ２６１が緩挿され、スクリュウは案内枠２３４に設けられた、推進軸２４３と平行なラック２３７に噛合している。刷毛保持部２６２は、推進軸２４３が保持するキャリッジ２６１とレール２３５とにより保持され、フィルタ２３１を跨ぐように配置される。
【００２２】
このような移動機構２３３において、移動用モータ２４２を回転させることで、推進軸２４３が回転し、キャリッジ２６１に保持された刷毛保持部２６２が図３及び図４の左右方向に移動する。これにより、刷毛保持部２６２に保持された掃除ブラシ２６７が、フィルタ２３１に捕集された塵埃を掃き取るようにフィルタ２３１上を移動する。尚、移動用モータ２４２の回転方向を逆回転にすることにより、キャリッジ２６１の移動方向を変更することができる。
【００２３】
次に、図４に示す集塵機構２７０を図５〜図７を用いて詳しく説明する。図５は実施例１に係る集塵機構の断面図である。図６は実施例１に係る集塵剥離用へらの斜視図である。図７は実施例１に係る集塵剥離用櫛歯の斜視図である。
【００２４】
除去ブラシ２７１には毛（傾斜植毛）が施され、図５の如く、フィルタ２３１の面に沿って帯状に回動可能に複数のローラー２７６によって支持され、フィルタ２３１の側方に設けられている。
【００２５】
本実施例に係る空気調和機は、空気吸込口２７及び空気吹出口２９を有する筐体２１と、筐体２１内に配置された室内熱交換器３３と、室内熱交換器３３の上流に配置されたフィルタ２３１と、室内熱交換器２３１の下流に配置された室内送風ファン３１１と、フィルタ２３１に捕集された塵埃を除去する清掃装置２３０とを備え、清掃装置２３０は、筺体２１の長手方向に移動し、フィルタ２３１と接触して摺動する掃除ブラシ２６７と、回転し、掃除ブラシ２６７と摺動して掃除ブラシ２６７に付着した塵埃を取る除去ブラシ２７１と、除去ブラシ２７１に付着した塵埃を取る集塵剥離用へら（板部）２７２と、集塵剥離用へら（板部）２７２の下方に位置する集塵容器２８１とを有する。本実施例によれば、簡易な構造で清掃ブラシ２６７に付着した塵埃を取ることができる。
【００２６】
さらに、本実施例に係る除去ブラシ２７１は、前面２７１ａ、上面２７１ｂ、及び、前面２７１ａと上面２７１ｂを結んだ斜面２７１ｃからなる三角形状であり、集塵剥離用へら２７２は斜面２７１ｃに配置されている。このような本実施例によれば、集塵剥離用へら２７２で除去ブラシ２７１に付着した塵埃を剥離したとき、当該塵埃を除去ブラシ２７１の下方に位置した集塵容器２８１に落としやすくすることができる。
【００２７】
尚、本実施例における三角形状とは、完全な三角形状だけではなく、図５に示すような一部に凹凸を有する三角形状を含むものとする。
【００２８】
又、除去ブラシ２７１の前面及び上面は、フィルタ２３１の面と水平であることが望ましい。
【００２９】
又、本実施例に係る清掃装置２７０は、掃除ブラシ２６７を筺体２１の長手方向に移動させる推進軸２４３と、推進軸２４３に接続され、除去ブラシ２７１を回転させる歯車２７５とを有する。本実施例によれば、推進軸２４３を回転させることで、掃除ブラシ２６７の移動に加え、除去ブラシ２７１の回転も行うことができる。すなわち、除去ブラシ２７１の駆動機構を別途設けずに済むため、清掃装置２３０をより簡易な構造にすることができる。
【００３０】
又、本実施例に係る空気調和機は、推進軸２４３が掃除ブラシ２６７を除去ブラシ２７１に近づく方向に移動させるとき、歯車２７５は除去ブラシ２７１を第１の方向に回転させ、推進軸２４３が掃除ブラシ２６７を除去ブラシ２７１から離れる方向に移動させるとき、歯車２７５は除去ブラシ２７１を第１の方向と反対方向に回転させ、除去ブラシ２７１の毛は、第１の方向に傾いている。本実施例によれば、除去ブラシ２７１が第１の方向に回転することで、除去ブラシ２７１の毛が掃除ブラシ２６７に入り込み、掃除ブラシ２６７に付着した塵埃を除去することができる。
【００３１】
一方、推進軸２４３が掃除ブラシ２６７を除去ブラシ２７１から離れる方向に移動させるとき、除去ブラシ２７１は、推進軸２４３の左端に設けられた歯車２７５を介し、第１の方向と反対方向に回転する。そのため、掃除ブラシ２６７の移動方向と除去ブラシ２７１の毛の方向が同一の方向となるので、除去ブラシ２７１に擦り付けた塵埃は、刷毛保持部２６２の掃除ブラシ２６７に再付着することはない。
【００３２】
ここで、掃除ブラシ２６７が除去ブラシ２７１に近づく方向は、図４において左方向をいい、掃除ブラシ２６７が除去ブラシ２７１から離れる方向とは、図４において右方向をいう。掃除ブラシ２６７が除去ブラシ２７１に近づく方向には、掃除ブラシ２６７が除去ブラシ２７１に重なっている場合に、重なる面積が増加する方向を含むものとし、掃除ブラシ２６７が除去ブラシ２７１から離れる方向とは、掃除ブラシ２６７が除去ブラシ２７１に重なっている場合に、重なる面積が減少する方向を含むものとする。
【００３３】
尚、本実施例における第１の方向とは、図５において、除去ブラシ２７１が時計回りに回転する方向をいう。つまり、除去ブラシ２７１は、推進軸２４３の左端に設けられた歯車２７５を介し、時計回りに回転する。
【００３４】
又、除去ブラシ２７１の回転は、推進軸２４３の移動用モータ２４２によらず、別途設置された駆動モータによって回転させることも可能である。
【００３５】
刷毛保持部２６２は、除去ブラシ２７１に乗り上げたところで停止し、反転してフィルタ２３１方向に移動を始める。このとき、推進軸２４３は反時計回りに回転し、刷毛保持部２６２を右方向に移動させる。尚、刷毛保持部２６２が除去ブラシ２７１に乗り上げると、移動用モータ２４２への負荷が増大し、電力が増大する。従って、電力量が所定値を超えると、推進軸２４３の回転を反転させることで、刷毛保持部２６２の向きを変えることができる。
【００３６】
次に、塵埃剥離用のへら２７２について図５、６を用いて説明する。除去ブラシ２７１が反時計回りに回転移動することで、集塵容器２８１の上方に配置された集塵剥離用へら２７２に塵埃が掃き取られる。集塵剥離用へら２７２によって除去ブラシ２７１から剥離された集塵は、落下して集塵容器２８１に格納される。
【００３７】
集塵剥離用へら２７２は、除去ブラシ２７１の毛の傾斜方向と同じ向きで除去ブラシ２７１に押圧され、配置される。回転移動により移送された塵埃は、次々と集塵剥離用へら２７２により除去ブラシ２７１から剥離され、集塵容器２８１に落下し格納される。このとき集塵剥離用へら２７２は除去ブラシ２７１に押圧されているので、除去ブラシ２７１と集塵剥離用へら２７２の摺接状態が常に保たれている。
【００３８】
集塵剥離用へら２７２は、図６に示す形状に加え、図７に示す如く櫛歯形状にすることで、より細かなピッチで梳くことができる。除去ブラシ２７１をより細かなピッチで梳くことにより、除去ブラシ２７１に付着した塵埃をより除去することができる。
【実施例２】
【００３９】
図８を用いて実施例２を説明する。実施例１と異なる部分について説明し、実施例１と重複する部分については説明を省略する。図８は実施例２に係る集塵剥離用の毛を施した塵埃戻り防止ブラシを有した集塵機構の断面図である。
【００４０】
本実施例に係る空気調和機は、空気吸込口２７及び空気吹出口２９を有する筐体２１と、筐体２１内に配置された室内熱交換器３３と、室内熱交換器３３の上流に配置されたフィルタ２３１と、室内熱交換器２３１の下流に配置された室内送風ファン３１１と、フィルタ２３１に捕集された塵埃を除去する清掃装置２３０とを備え、清掃装置２３０は、筺体２１の長手方向に移動し、フィルタ２３１と接触して摺動する掃除ブラシ２６７と、回転し、掃除ブラシ２６７と摺動して掃除ブラシ２６７に付着した塵埃を取る除去ブラシ２７１と、除去ブラシ２７１に付着した塵埃を取る集塵剥離用ブラシ（ブラシ）２７３と、集塵剥離用ブラシ（ブラシ）２７３の下方に位置する集塵容器２８１とを有する。本実施例では、集塵剥離用へら２７２に代わり、図８に示す如く除去ブラシ２７１の毛に相対する集塵剥離用の毛を施した集塵剥離用ブラシ２７３に摺接させる機構を設置している。このような機構によっても、移送された塵埃を除去ブラシ２７１から剥離し集塵容器２８１に格納することができる。
【００４１】
除去ブラシ２７１の反時計方向への回転移動に伴い、除去ブラシ２７１が集塵剥離用の毛を施した集塵剥離用ブラシ２７３に摺接しながら回転する。このとき、集塵剥離用ブラシ２７３は、押圧の弾性体２７４で除去ブラシ２７１に押圧されているので、除去ブラシ２７１と集塵剥離用ブラシ２７３の摺接状態が常に保たれている。集塵剥離用ブラシ２７３には、除去ブラシ２７１と摺接する位置で除去ブラシ２７１の毛の傾斜方向と同じ向きに毛が施されている。このため、除去ブラシ２７１が回転しながら摺接する時に、除去ブラシ２７１に保持された塵埃は、集塵剥離用ブラシ２７３により剥離され落下し集塵容器２８１に格納される。
【００４２】
推進軸２４３が時計回りに回転し、掃除ブラシ２６７を左方向に移動させていて、除去ブラシ２７１が時計回りに回転移動するときには、除去ブラシ２７１に保持されていた塵埃は、集塵剥離用ブラシ２７３により剥離され、集塵容器２８１に格納されているので除去ブラシ２７１に再付着することはない。
【００４３】
集塵容器２８１に落下する塵埃は、集塵容器２８１へ傾斜する案内板２８２を配置することで塵埃を集塵容器２８１内に案内し、塵埃の飛散を防止できる。
【００４４】
集塵容器２８１の前方には塵埃排出口２８１ａが設けられ、集塵容器２８１内の塵埃を捨てる場合は、集塵容器２８１を塵埃排出口２８１ａから引き出し集塵を排出する。集塵容器２８１は着脱自在であり、利用者が定期的に取り出し、集塵容器内を清掃することでフィルタを室内機から取り外す必要がなくなり、フィルタ掃除の省力化ができる。
【実施例３】
【００４５】
図９、図１０を用いて曲線状の断面のフィルタを持つ空気調和機に係る実施例３を説明する。実施例１と異なる部分について説明し、実施例１と重複する部分については説明を省略する。図９は、実施例３に係る室内機の側断面図である。図１０は、実施例３に係る集塵機構の断面図である。
【００４６】
図９において、室内機２は、曲線状の断面をしたフィルタ２３１、フィルタ２３１の曲線状の断面に合わせて曲線状に形成した掃除ブラシ２６７、掃除ブラシ２６７を支持する刷毛保持部２６２、刷毛保持部２６２の移動を案内する案内枠２３４、案内枠２３４に設けたレール２３５を備える。
【００４７】
図１０に示すように、除去ブラシ２７１は、フィルタ２３１の方向から見て、外形線がフィルタ２３１の曲線断面に合致するような外形を有する。ガイド２７７がフィルタ２３１に沿って設けられている。また、除去ブラシ２７１は、フィルタ２３１の曲線形状に合わせた掃除ブラシ２６７に摺接するようになっている。除去ブラシ２７１には、掃除ブラシ２６７の移動方向と垂直方向に毛がなされている。
【００４８】
集塵剥離用へら２７２によって、塵埃は集塵剥離用へら２７２により除去ブラシ２７１から剥離され、集塵容器２８１に落下し格納される。
【００４９】
ここで、塵埃は除去ブラシ２７１から自然に落下することもあり得る。そこで、本実施例に係る清掃装置２７０は、少なくとも集塵容器２８１の上方、且つ、集塵容器２８１の背面側に位置する案内板２８２を有する。すなわち、図１０に示すように、案内板２８２を集塵容器２８１の上方から後方（集塵容器２８１の右上）に設けている。
【００５０】
除去ブラシ２７１は、フィルタ２３１方向から見た外形線が滑らかに連続するように配置されている。これにより、除去ブラシ２７１は掃除ブラシ２６７の全長に渡って必ず摺接し、掃除ブラシ２６７がフィルタ２３１から掃き取った塵埃を確実に掻き取り、除去ブラシ２７１に保持する。
【００５１】
このような構成することにより、フィルタ２３１の形状が室内熱交換器３３の形状に応じて、曲線状の断面をしている場合でも、実施例１と同様の動作により、フィルタ２３１を清掃し、塵埃を集塵容器２８１に収容することができる。
【符号の説明】
【００５２】
１  空気調和機
２  室内機
２１  筐体
２７  空気吸込口
２９  空気吹出口
３３  室内熱交換器
３５  露受皿
２３０  清掃機構
２３１  フィルタ
２３３  移動機構
２３４  案内枠
２３５  レール
２３６  塵埃
２４２  移動用モータ
２４３  推進軸
２６１  キャリッジ
２６２  刷毛保持部
２６７  掃除ブラシ
２７０  集塵機構
２７１  除去ブラシ
２７２  集塵剥離用へら（板部）
２７５  歯車
２７６  ローラー
２７７  ガイド
２８１  集塵容器
２８２  案内板
２９１  上下風向板
２９５  左右風向板
３１１  室内送風ファン
【図１】
2015140996.tif 000003
【図２】
2015140996.tif 000004
【図３】
2015140996.tif 000005
【図４】
2015140996.tif 000006
【図５】
2015140996.tif 000007
【図６】
2015140996.tif 000008
【図７】
2015140996.tif 000009
【図８】
2015140996.tif 000010
【図９】
2015140996.tif 000011
【図１０】
2015140996.tif 000012